【事件の表示】
　特許第３３５８７０３号「歩行型草刈機」の請求項１に係る特許に対する特許異議の申立てについて、次のとおり決定する。
【結　論】
　訂正を認める。
　特許第３３５８７０３号の請求項１に係る特許を取り消す。
【理　由】
１．手続きの経緯
　特許第３３５８７０３号の請求項１に係る発明についての出願は、平成８年１１月２０日に特許出願され、平成１４年１０月１１日にその発明について特許権の設定登録がなされ、その後、その特許について、異議申立人石川島芝浦機械株式会社より特許異議の申立てがなされ、平成１６年４月６日付で取消しの理由が通知され、その指定期間内である平成１６年６月３日付で意見書とともに訂正請求がなされた後、平成１６年６月１５日付で再度取消しの理由が通知されたところ、その指定期間内である平成１６年８月２０日付で上記訂正請求は取下げられ、意見書とともに新たに訂正請求がなされたものである。
　
２．訂正の適否についての判断
（２−１）訂正の内容
　ア．訂正事項a
　　特許請求の範囲の請求項１の記載中、「上下二段に該回転軸（１），（２）の直径方向へ突出する刈刃（３），（４）」とあるを、「上下二段に該回転軸（１），（２）の直径方向へ略同長さを有して突出する平面視矩形状の刈刃（３），（４）」と訂正する。
　イ．訂正事項b
　　特許請求の範囲の請求項１の記載中、「その前端を上段側の刈刃よりも高く位置させる刈刃カバー（５）」とあるを、「その前部を前方上方へ傾斜延設して上段側の刈刃よりもより高く位置させる刈刃カバー（５）」と訂正する。
　ウ．訂正事項ｃ
　　段落番号【０００４】の【課題を解決するための手段】の記載中、「上下二段に該回転軸１，２の直径方向へ突出する刈刃３，４」とあるを、「上下二段に該回転軸１，２の直径方向へ略同長さを有して突出する平面視矩形状の刈刃３，４」と訂正する。
　エ．訂正事項ｄ
　　段落番号【０００４】の【課題を解決するための手段】の記載中、「その前端を上段側の刈刃よりも高く位置させる刈刃カバー５」とあるを、「その前部を前方上方へ傾斜延設して上段側の刈刃よりもより高く位置させる刈刃カバー５」と訂正する。
　オ．訂正事項ｅ
　　段落番号【０００５】の【発明の作用及び効果】の記載中、「左右の回転軸１，２の上下に刈刃３，４を取り付けるので刈刃カバー５の地面からの高さが必然的に高くなり、即ち、刈刃カバー５の前端を上段側の刈刃よりも高く位置させてあり、」とあるのを、「左右の回転軸１，２に、草の根元と中間部対応高さの上下二段に該回転軸１，２の直径方向へ略同長さを有して突出する平面視矩形状の刈刃３，４を装着し、これら左右の回転軸１，２が前側で対向方向に向って回転すべくなすとともに、この上下二段の刈刃３，４の両側及び上面を覆いその前部を前方上方へ傾斜延設して上段側の刈刃よりもより高く位置させる刈刃カバー５を設けるので刈刃カバー５の地面からの高さが必然的に高くなり、又、刈刃カバー５の前部を上段側の刈刃よりもより高く位置させてあり、」と訂正する。
　カ．訂正事項ｆ
　　段落番号【０００５】の【発明の作用及び効果】の記載中、「左右の刈り幅も広くなる。」とあるのを、「又、草の株元と中間部対応高さの上下二段の位置で回転軸１，２の直径方向へ略同長さを有して突出する平面視矩形状の刈刃３，４が対向回転作用を行い、左右両側の草が刈刃カバー５内へ取込まれて切断され左右の刈り幅も広くなる。」と訂正する。
　
（２−２）訂正の目的の適否、新規事項の有無及び拡張・変更の存否
　上記訂正事項a及びｂは、願書に添付された図面中、本発明実施例の一部正断面図である【図１】及び本発明実施例の全体平面図である【図４】並びに本発明実施例の全体側面図である【図５】の記載から明らかであるから、特許請求の範囲の減縮を目的とした明細書の訂正に該当し、また、上記訂正事項ｃ及びｄは、上記訂正事項a及びｂとそれぞれ整合を図るものであるから、明りようでない記載の釈明を目的としたものである。さらに、上記訂正事項ｅは、願書に添付された明細書の段落【０００４】に「草の根元と中間部対応高さの上下二段に該回転軸１，２の直径方向へ突出する刈刃３，４を装着し、」と記載され、且つ上記訂正事項a及びｂと整合を図るものであるから、明りようでない記載の釈明を目的とした明細書の訂正に該当し、上記訂正事項ｆは、願書に添付された明細書の段落【０００５】の「上下二段に直径方向に突出する刈刃３，４を配設した回転軸１，２を左右に配設し両回転軸１，２が前側で対向方向に向かって回転するよう構成」との記載から明らかであるから、いずれも、新規事項の追加に該当せず、実質的に特許請求の範囲を拡張又は変更するものではない。
（２−３）むすび
　したがって、上記訂正は、特許法第１２０条の４第２項及び同条第３項において準用する第１２６条第２項から第４項までの規定に適合するので、当該訂正を認める。
　
３．特許異議の申立てについての判断
（３−１）本件発明
　上記２．で示したように上記訂正が認められるから、本件の請求項１に係る発明（以下、「本件発明」という。）は、上記訂正に係る訂正明細書の特許請求の範囲の請求項１に記載された事項により特定される次のとおりのものである。
【請求項１】地面に対して垂直な左右の回転軸（１），（２）に、草の根元と中間部対応高さの上下二段に該回転軸（１），（２）の直径方向へ
略同長さを有して
平面視矩形状の
部
前方上方へ傾斜延設して
より
　
（３−２）引用刊行物に記載された発明
　当審が平成１６年６月１５日付で通知した取消理由において引用した刊行物には、以下の事項が記載されている。
刊行物１；特開平８−２５６５５８号公報（平成８年１０月８日公開）
刊行物２；実願昭５７−１７９２０８号（実開昭５９−８１３１７号）のマイクロフイルム
刊行物３；実公昭３８−２４５３０号公報
刊行物４；特開平８−２５６５５９号公報（平成８年１０月８日公開）
　
　刊行物１（特開平８−２５６５５８号公報）の
【０００１】には、「【産業上の利用分野】本発明は、歩行操縦型の自走草刈機に係り、殊に、畦畔の草刈作業に好適な自走草刈機に関するものである。」と、
【００１５】には、「・・・刈取軸（３７)（３７）の下端に取付けられている縦軸回転型刈刃（４ａ）（４ｂ）を、それぞれ所定の方向（イ）（ロ）に回転駆動するように構成されている。」と、
【００１７】には、「以上のように構成された自走草刈機でもって平坦地の草刈をする場合には、図６および図７に示しているように、エンジン（５）と走行機体（Ａ）を平行姿勢に保つと共に走行機体（Ａ）先端部の刈取装置（４）を平坦地に沿う水平姿勢に保ち、・・・」と記載されている。
　
また、平面拡大図である【図４】には、「方向（イ）（ロ）は前側で対向方向に向かっていること」が、
図面全体、特に縦断面拡大図である【図５】及び正面図である【図７】には、「左右の刈取軸（３７）（３７）が地面に対して垂直なこと」が、示されていると認められるから、
刊行物１には「地面に対して垂直な左右の刈取軸（３７）（３７） の下端に、回転型刈刃（４ａ）（４ｂ）を取付け、これら左右の刈取軸（３７）（３７）が前側で対向方向に向って回転するようなされた歩行型草刈機」（以下「引用発明１」という）が記載されていると認められる。
　
　刊行物２（実願昭５７−１７９２０８号（実開昭５９−８１３１７号）のマイクロフイルム）の
明細書第３頁第１１行乃至第１３行には、「縦軸廻りに回転する刈刃体（８）が横方向に複数個（図例では３個）配置されており、」と、
明細書第７頁第８行乃至第８頁第４行には、「第５図及び第６図は刈刃体（８）の一例を示すもので、刈刃体（８）を、その駆動軸（３５）に回動不能として上下方向に並設された上・中・下の円錐形状ドラム（３６）（３７）（３８）と、各上・中・下ドラム（３６）（３７）（３８）外周部の径方向対称位置に、径方向外方突出状に固設された上・中・下カッター（３９）（４０）（４１）とから構成している。ドラム（３６）（３７）（３８）は上側のものほど大径とされている。又、カッター（３９）（４０）（４１）はその先端回転軌跡が平面視において一致するようにされると共に、・・・
　上記刈刃体（８）により刈取作業を行えば、上・中・下カッター（３９）（４０）（４１）により、長尺の草の場合には草を上部側から順次３片に細断して刈取ることができる。」と記載されている。
　
また、底面図である【第６図】には、「駆動軸（３５）の直径方向へ同長さまで突出する平面視矩形状の上・中・下カッター（３９）（４０）（４１）」が、示されていると認められるから、
刊行物２には「複数の駆動軸（３５）と、該駆動軸の直径方向へ同長さまで突出する平面視矩形状の上・中・下カッター（３９）（４０）（４１）とを備え、長尺の草を細断して刈取ることができる刈刃体（８）」（以下「引用発明２」という）が記載されていると認められる。
　
　刊行物３（実公昭３８−２４５３０号公報）の
公報第１頁左欄第６行乃至第２５行には、「本案動力草刈機は果樹園等の雑草刈取りを目的とし、その構造は・・・機枠に対し、垂直にシャフト４を廻転自在に取付け・・・シャフト４の下端には平刃７を固定し、該平刃７の上方には適当な間隔をおいて、平刃７よりやや長い、上下移動可能の平刃８を、平刃７に直角に交叉するように固定し、・・・
　次にその作用は・・・把手１２をもつて推進すれば雑草は平刃８により、茎の上方を切断せられると共に平刃７により、 跡の根元を切断せられて完全に刈取られる。この際雑草の背丈の高低に応じて平刃８の高さを加減し、高い雑草の場合は・・・」と、
記載されている。
　
また、図面全体、特に草刈機の平面図である【第１図】及び平刃の拡大平面図である【第３図】には、「上下二段にシャフト４の直径方向へ略同長さを有して突出する平面視矩形状の平刃７及び８」が、示されていると認められるから、
刊行物３には「垂直なシャフト４に、雑草の根元と茎の上方対応高さの上下二段に該シャフト４の直径方向へ突出する平面視矩形状の平刃７及び平刃７よりやや長く略同長さを有する平面視矩形状の平刃８を固定した歩行型草刈機。」（以下「引用発明３」という）が記載されていると認められる。
　
　刊行物４（特開平８−２５６５５９号公報）の
【０００４】には、「・・・本発明における草刈機は、・・・歩行操縦型の草刈機において、・・・」と、
【０００５】には、「・・・刈取装置（３)の上方および左右両側と後側とを被蓋する刈取部カバー（６）を設け、その刈取部カバー（６）の後壁部に刈草排出口（６ａ）を開設し、複数の縦軸回転型刈刃（３ａ）（３ｂ）で切断した刈草を走行機体（Ａ）の横幅方向中央部において後向きに排出するようにした草刈機にしている。」と、
【０００８】には、「そして、刈取装置（３)によって切断された刈草が、刈取伝動パイプ（２)等に邪魔されることなく、刈取部カバ−（６)の後壁部に開設された刈草排出口（６ａ)から走行機体（Ａ）の横幅方向中央部において後向きに排出されるので、・・・」と、
【００１８】には、「そして、刈取軸（３３)（３５)の垂下端部に刈刃取付体（３６)（３６)がそれぞれ嵌着されて、・・・各刈刃取付体（３６)の周縁部に必要数の刈刃（３９)が着脱自在に取付けられて、複数の縦軸回転型（３ａ)（３ｂ)が構成されている。」と、
【００１９】には、「また、刈取装置（３)には、縦軸回転型（３ａ)（３ｂ)の上方と左右両側と後側とを被蓋する刈取部カバ−（６)が設けられ、その刈取部カバ−（６)の後壁部に刈草排出口（６ａ)が開設され、・・・」と記載されている。
　
また、図面全体、特に草刈機の平面図である【図１】及び平面断面図である【図５】には、「刈取軸（３３)（３５)が左右に配置されていること」が、特に草刈機の側面図である【図２】及び駆動部の縦断面図である【図６】には、「前部を刈刃（３９）よりも高く位置させる刈取部カバ−（６)」が、示されていると認められるから、
刊行物４には「左右の刈取軸（３３）（３５）に必要数の刈刃（３９）を取付け、これらの刈刃（３９）の上方および左右両側と後側とを被蓋する刈取部カバ−（６）を設け、該刈取部カバ−（６）は、後壁部に刈草排出口（６ａ）を開設し、前部を刈刃よりも高く位置させた歩行型草刈機。」（以下「引用発明４」という）が記載されていると認められる。
　
（３−３）対比・判断
　本件発明と引用発明１とを比較する。
　引用発明１の「左右の刈取軸（３７）（３７）」は本件発明の「左右の回転軸（１），（２）」に相当し、以下同様に、「回転型刈刃（４ａ）（４ｂ）」は「刈刃（３），（４）」に、「歩行型草刈機」は「歩行型草刈機」に、それぞれ相当するから、両者の一致点及び相違点は、以下のとおりである。
　
一致点
　地面に対して垂直な左右の回転軸に、刈刃を装着し、これら左右の回転軸が前側で対向方向に向って回転すべくなされた歩行型草刈機。
　
相違点（Ａ）
　回転軸に装着した刈刃が、本件発明では「草の根元と中間部対応高さの上下二段に、該回転軸の直径方向へ略同長さを有して突出する平面視矩形状の刈刃」であるのに対し、引用発明１では、刈刃がそのような構成を有するかどうか不明である点
相違点（Ｂ）
　本件発明では「上下二段の刈刃の両側及び上面を覆いその前部を前方上方へ傾斜延設して上段側の刈刃よりもより高く位置させる刈刃カバー」を設けたのに対し、引用発明１では「刈刃カバー」について記載されていない点
　
　そこで、上記相違点（Ａ）について検討すると、「回転軸の上下に、該回転軸の直径方向へ略同長さ突出する平面視矩形状の刈刃」を設け、長尺の草を刈取ることができるものは、上記引用発明２及び３のように草刈機の分野においては周知・慣用の技術であり、しかも、引用発明３には「回転軸の上下に、該回転軸の直径方向へ略同長さを有して突出する平面視矩形状の刈刃」を固定したことが記載されているから、本件発明の刈刃の構成とすることは引用発明２及び３に基づいて当業者が容易になし得ることである。
　
　次に、上記相違点（Ｂ）について検討する。
引用発明４の「前部を刈刃よりも高く位置させた刈取部カバ−（本件発明の「刈刃カバー」に相当する）」は、刈刃の上方および左右両側と後側とを被蓋するものではあるが、後壁部に刈草排出口を開設したものであり、刊行物４の【図５】に示された「刈草排出口（６ａ)」を参酌すれば、刈刃の後側で被蓋された部分は僅かであって大部分は被蓋されずに開放されているものと認められるから、刈刃の後側を覆わずに刈刃の上方および左右両側を覆いその前部を刈刃よりも高く位置させることは、引用発明４に基づいて当業者が容易になし得ることである。
そして、上下に刈刃を装着することは上記引用発明２及び３のように周知・慣用の技術であり、また、刈刃カバーの前部を前方上方へ傾斜延設して刈刃よりもより高く位置させることは、例えば特開平５−３０８３６号公報及び特開平８−２１４６６４号公報のように周知・慣用の技術であるから（後記の「備考」を参照）、引用発明４に上記の周知・慣用技術を適用し、相違点（Ｂ）に係る構成とすることは当業者が容易になし得ることである。
　
　また、効果においても格別のものは認められない。
　
　したがって、本件発明は、刊行物１乃至４に記載された発明及び周知・慣用技術に基づいて当業者が容易になし得たものであり、本件発明の特許は、特許法第２９条第２項の規定に違反してなされたものである。
（３−４）むすび
　以上のとおりであるから、本件発明についての特許は、特許法第１１３条第２号に該当し、取り消されるべきものである。
　
　よって、結論のとおり決定する。
　
　
　備考
　
特開平５−３０８３６号公報の
【００１０】には、「・・・固定側ハウジング２１は、前後方向に開口したもので、その上面部２２の前部を上方への傾斜面部２３として、側面部を前後方向へ略直線状に伸びる草排出用ガイド壁２４としている。また、スイングハウジング２５も、前後方向に開口したもので、その上面部２６の前部を上方への傾斜面部２７として、側面部の後部を尾輪配設用の凹状湾曲部２８としている。」と、
【００１１】には、「そして、図７及び図８にも示す通り、固定側ハウジング２１の後半部内に主回転刃３１を収納して、スイングハウジング２５の前半部内に副回転刃３５を収納している。・・・３４は主回転軸、３８は副回転軸である。・・・」と記載されていて、図面の記載とを併せると、
　「地面に対して垂直な左右の主及び副回転軸（３４、３８）に、主及び副回転刃（３１、３５）を装着し、この主及び副回転刃の両側及び上面を覆いその前部を前方上方へ傾斜延設して主及び副回転刃よりもより高く位置させるハウジング（２１、２５）を設けてなる歩行型草刈機。」の発明が記載されていると認められる。
　　
特開平８−２１４６６４号公報（平成８年８月２７日公開）の
【００１７】には、「・・・ロータリーカッターの回転方向は、草を内側に抱き込む方向に互いに逆方向に回転させるのが望ましいが、・・・」と、
【００２７】には、「・・・カッター装置２はカバー２００を備えている。カバー２００の上面部は四角形状の基盤２０３となっている。カバー２００の前部は、上方へ傾斜させて案内板２０が形成されている。・・・」と、
【００２９】には、「・・・可変カッター装置２はカバー３００を備えている。カバー３００の上部は四角形状の基盤３０３となっている。カバー３００の前部は、上方へ傾斜させて案内板３０が形成されている。・・・」と、
【００３５】には、「・・・カッター軸４２、４２ａの下部には、カッター軸４２、４２ａを中心に直線的に配置された回転刃４３、４３ａが取付けてある。・・・」と、
【００４０】には、「なお、ロータリーカッター４、４ａのそれぞれの回転刃４３、４３ａは、平面視における刃角をずらして取付けてあり、また回転刃４３、４３ａが草を抱き込むように互いに逆方向にしかも同期回転するため、回転刃４３、４３ａの軌道が重なった時にも接触することはない。・・・」と記載されていて、図面，特に【図２】及び【図４】の記載とを併せると、
　「地面に対して垂直な左右のカッター軸（４２、４２ａ）に、該カッター軸の直径方向へ突出する平面視矩形状の回転刃（４３、４３ａ）を装着し、これら左右のカッター軸が草を内側に抱き込む方向に互いに逆方向に回転すべくなすとともに、これら回転刃を覆うカバー（２００、３００）はその前部を前方上方へ傾斜延設して回転刃よりもより高く位置させてなる歩行型草刈機。」の発明が記載されていると認められる。
【異議決定日】
平成１６年１２月１日（２００４．１２．１）
【訂正の要旨】
審決（決定）の【理由】欄参照。
（５４）【発明の名称】
歩行型草刈機
（５７）【特許請求の範囲】
　【請求項１】地面に対して垂直な左右の回転軸（１），（２）に、草の根元と中間部対応高さの上下二段に該回転軸（１），（２）の直径方向へ
略同長さを有して
平面視矩形状の
部
前方上方へ傾斜延設して
より
【発明の詳細な説明】
　【０００１】
　【発明の属する技術分野】
　本発明は、畦や農道に生えている比較的短い草を刈る歩行型の草刈機に関する。
　【０００２】
　【従来の技術】
　歩行型の草刈機として、走行輪の前側に水平回転する回転刃を設けた機枠から斜め後上方に向けてハンドル杆を立設し、作業者が機枠の後側を歩きながらハンドル杆の取手を持って草の刈り取りを行なう構成のものが有る。
　【０００３】
　【発明が解決しようとする課題】
　前記従来の草刈機は、危険防止のために回転刃を上から覆うように刈刃カバーが設けられている。このため、長い草は刈刃カバーの前端で押し倒されて切断され難く、また、刈った草が長いために回転刃を取り付けた回転軸に巻き付いてしまったり、刈刃カバーから排出され難かったりして、作業能率が上がらない。
　そこで、本発明では、草を刈刃カバー内に入り易くすると共に短く切断して回転軸に巻き付き難くして刈刃カバー内からの排出も効率的に行なわれるようにすることを課題として次の如く構成した。
　【０００４】
　【課題を解決するための手段】
　地面に対して垂直な左右の回転軸１，２に、草の根元と中間部対応高さの上下二段に該回転軸１，２の直径方向へ
略同長さを有して
平面視矩形状の
部
前方上方へ傾斜延設して
より
　【０００５】
　【発明の作用及び効果】
　地面に対して垂直な左右の回転軸１，２
に、草の根元と中間部対応高さの
二段に該回転軸１，２の直径方向へ略同長さを有して突出する平面視矩形状の
を装着し、これら左右の回転軸１，２が前側で対向方向に向って回転すべくなすとともに、この上下二段の刈刃３，４の両側及び上面を覆いその前部を前方上方へ傾斜延設して上段側の刈刃よりもより高く位置させる刈刃カバー５を設け
又
部
より
　更に、上下二段に直径方向に突出する刈刃３，４を配設した回転軸１，２を左右に配設し両回転軸１，２が前側で対向方向に向かって回転するよう構成した為、草を刈る場合の抵抗が左右にバランスされて直進走行し易くなり、
又、草の株元と中間部対応高さの上下二段の位置で回転軸１，２の直径方向へ略同長さを有して突出する平面視矩形状の刈刃３，４が対向回転作用を行い、左右両側の草が刈刃カバー５内へ取込まれて切断され
　【０００６】
　【実施例】
　次に、本発明の実施例を図面を参照しながら説明する。
　機体の中央に設けるギヤケース２０の後部にはエンジン２１を取り付け、このギヤケース２０から左右に延ばした支持筒２２，２３の先端から下方に向けてアーム２５，２６を設け、このアーム２５，２６の下端部に走行輪１０を軸支している。一方のアーム２５には内部にチェン伝動機構を設け、エンジン２１の動力で走行輪１０を回転駆動するようにしている。
　【０００７】
　ギヤケース２０の前側には、左右に振り分けて垂直に軸支する回転軸１，２を有する伝動ケース２９を設け、左右の回転軸１，２には上下に該回転軸１，２の直径方向に突出する刈刃３，４をそれぞれ取り付け、上方より見て左右の刈刃３，４の前側が中央に向って逆回転するようにしている。
　走行輪１０の上側は、走行輪カバー３０を前記ギヤケース２０の下側に取り付け、この走行輪カバー３０の前側に刈刃３，４の両側及び上面を全面的に覆う刈刃カバー５を設けている。
　刈刃カバー５の前端は左右中央が後方に向けて凹んだ形状としていて、この前端形状に沿うようにガイド杆６を取り付けている。
　尚、刈刃カバー５は、図６に示す如く、前部７をヒンジ８で取り付け、ガイド杆６に草が当たると上方へ回動して、刈刃３，４を露出するようにすれば刈り取り走行がよりスムーズになる。４５はカバー前部７を水平方向に保持すべく弾発させたばねである。
　【０００８】
　走行輪１０は、図２に示す如く、左右両側部１０ａが大径で中間部１０ｂを小径として、刈り倒した草が中間部１０ｂの下側を通過し易くしている。両側部１０ａと中間部１０ｂとには適宜間隔で鉄製ラグ１３を突設していて、両側部１０ａの外側端にはゴムラグ１２を巻き付けている。前記走行輪カバー３０の下側には、走行輪１０の鉄製ラグ１３に対応してスクレパ１５を設け、鉄製ラグ１３に巻き付く草を取り除くようにしている。
　尚、この走行輪１０の左右両側部１０ａは大径の筒で中間部１０ｂは小径の筒としているが左右両端から中央に向けて順次小径とした鼓形状としてもよい。
　また、左側部１０ａと右側部１０ａとを一定角度例えば９０°程度フリーで相互回転するように取り付けて左右旋回を行い易くすることもよい。
　【０００９】
　ギヤケース２０の上部には、取付台３１を取り付け、この取付台３１上にハンドル基台３２を水平回動可能に取り付けている。３３はハンドル基台３２の取付台３１に対する水平回動位置を固定する固定具である。
　ハンドル基台３２の上部には、ハンドル杆３４を横軸１８で枢支し、固定具３５でハンドル杆３４のハンドル基台３２に対する傾きを固定するようにしていて、ハンドル杆３４を略垂直にして固定することもできるようにしている。
　【００１０】
　ハンドル杆３４の先端にはループ状の取手３６を取り付け、この取手３６にエンジン２１に継がるアクセルレバー３７を取り付け、ハンドル杆３４にハンドル杆３４の上下回動固定具３５にワイヤーで連結した上下固定レバー３８と、水平固定具３３にワイヤーで連結した水平固定レバー３９とを設けている。
　このように構成した草刈機を使用する場合には、上下固定レバー３８を操作して取手３６が作業者の持ち易い高さとなるようにして、前進走行しながら草を刈り倒す。刈り倒された草は刈刃３，４の回転で左右中央に集まりながら走行輪１０の中央部１０ｂ下方を通過して後方へ排出される。
　幅の狭い畦上で前後向きを変える場合には、ハンドル杆３４を略垂直に固定して機体を１８０°回転させる。
　また、刈刃カバー５の前側に左右中央が後方に向かって凹んだガイド杆６を設けると、刈り取り走行時にガイド杆６によって草を押し倒すようになり草が滑り易く刈刃カバー５内に入り易い。
　さらに、刈刃カバー５の前部７を上方へ回動可能にヒンジ８で取り付け、この刈刃カバー５の前部７を常時は水平に保持し草の当接により上方へ回動して刈刃３，４が露出すべくすれば、刈り作業をしない場合には刈刃３，４が露出することなく安全であり、草を刈る場合には刈刃カバー前部７が邪魔になることなく刈刃３，４が直接直立した草を刈るので走行抵抗が少なくなり作業能率が向上する。
【図面の簡単な説明】
　【図１】
　本発明実施例の一部正断面図である。
　【図２】
　本発明実施例の一部拡大平面図である。
　【図３】
　本発明実施例の一部拡大側断面図である。
　【図４】
　本発明実施例の全体平面図である。
　【図５】
　本発明実施例の全体側面図である。
　【図６】
　別実施例の一部斜視図である。
　【符号の説明】
　１　　回転軸
　２　　回転軸
　３　　刈刃
　４　　刈刃
　５　　刈刃カバー
　６　　ガイド杆
　７　　刈刃カバー前部
　８　　ヒンジ